(57)【要約】      （修正有）【課題】データセンターやサーバルーム等の特定の施設の空気状態の変化やその傾向を、場所や時間経過と関連づけて把握するのに適した監視対象室内の空気状態監視システムを提供する。【解決手段】監視対象室内の空気線図である空気線図情報を作成する空気線図情報作成手段と、前記監視対象室内に設置されている構造物及びその設置位置を含んだ前記監視対象室内のフロアマップであって、前記空気線図における複数のセンサの設置位置を特定する第一のポイントと、前記フロアマップにおける前記複数のセンサの設置位置を特定する第二のポイントとが関連づけられているフロアマップであるフロアマップ情報を作成するフロアマップ情報作成手段と、前記空気線図情報と前記フロアマップ情報とを、同一の画面上に画像表示させる画像表示手段と、を備えている監視対象室内の空気状態監視システム。【選択図】図６
2020190369.tif 000002
【特許請求の範囲】
【請求項１】
監視対象室内の所定の複数個所に設置されていて温度と湿度とを連続的に計測する複数のセンサから、前記所定の複数個所における連続的な温度と湿度とを取得して、前記監視対象室内の空気線図である空気線図情報を作成する空気線図情報作成手段と、
前記監視対象室内に設置されている構造物及びその設置位置を含んだ前記監視対象室内のフロアマップであって、前記空気線図における前記所定の複数個所に設置されている前記複数のセンサの設置位置を特定する第一のポイントと、前記フロアマップにおける前記所定の複数個所に設置されている前記複数のセンサの設置位置を特定する第二のポイントとが関連づけられているフロアマップであるフロアマップ情報を作成するフロアマップ情報作成手段と、
前記空気線図情報作成手段によって作成された前記空気線図情報と、前記フロアマップ情報作成手段によって作成された前記フロアマップ情報とを、同一の画面上に画像表示させる画像表示手段と、
を備えている監視対象室内の空気状態監視システム。
【請求項２】
前記複数のセンサから、前記所定の複数個所における連続的な温度と湿度とを取得して、前記監視対象室内の時系列の空気状態のトレンド情報を作成する時系列空気状態トレンド情報作成手段と、
前記時系列空気状態トレンド情報作成手段によって作成された前記時系列の空気状態のトレンド情報と、前記空気線図情報と、前記フロアマップ情報とを、前記同一の画面上に表示させる時系列空気状態トレンド情報表示手段と
を更に備えている請求項１記載の監視対象室内の空気状態監視システム。
【請求項３】
前記空気線図における前記第一のポイントが前記画面上において指定されたときに、当該指定された前記第一のポイントに対応している前記フロアマップにおける前記第二のポイントを前記画面上で認識可能に表示する、あるいは、前記フロアマップにおける前記第二のポイントが前記画面上において指定されたときに、当該指定された前記第二のポイントに対応している前記空気線図における前記第一のポイントを前記画面上で認識可能に表示する空気線図・フロアマップ連携表示手段
を更に備えている請求項１又は２記載の監視対象室内の空気状態監視システム。
【請求項４】
前記時系列の空気状態のトレンド情報における前記所定の複数個所に設置されている前記複数のセンサの設置位置を特定し、前記第一のポイントに関連付けられている第三のポイントが前記画面上において指定されたときに、当該指定された前記第三のポイントに対応している前記空気線図における前記第一のポイントを前記画面上で認識可能に表示する、あるいは、前記空気線図における前記第一のポイントが前記画面上において指定されたときに、当該指定された前記第一のポイントに対応している前記時系列の空気状態のトレンド情報における前記第三のポイントを前記画面上で認識可能に表示する空気線図・時系列空気状態トレンド情報連携表示手段
を更に備えている請求項２記載の監視対象室内の空気状態監視システム。
【請求項５】
前記時系列の空気状態のトレンド情報における前記所定の複数個所に設置されている前記複数のセンサの設置位置を特定し、前記第二のポイントに関連付けられている第三のポイントが前記画面上において指定されたときに、当該指定された前記第三のポイントに対応している前記フロアマップにおける前記第二のポイントを前記画面上で認識可能に表示する、あるいは、前記フロアマップにおける前記第二のポイントが前記画面上において指定されたときに、当該指定された前記第二のポイントに対応している前記時系列の空気状態のトレンド情報における前記第三のポイントを前記画面上で認識可能に表示するフロアマップ・時系列空気状態トレンド情報連携表示手段
を更に備えている請求項２記載の監視対象室内の空気状態監視システム。
【請求項６】
前記監視対象室内の空気状態把握用に基準となる温湿度の許容範囲が定められている複数の許容区分範囲を前記空気線図に重ねて前記画面上に画像表示させる許容区分範囲表示手段
を更に備えている請求項１乃至５の何れか一項に記載の監視対象室内の空気状態監視システム。
【請求項７】
前記フロアマップにおいて、前記空気線図に重ねて画像表示された前記複数の許容区分範囲の各区分に対応する領域をそれぞれ視認可能に前記フロアマップに重ねて前記画面上に画像表示させる許容区分範囲対応領域表示手段
を更に備えている請求項６記載の監視対象室内の空気状態監視システム。
【請求項８】
前記温度センサから取得した前記所定の複数個所における乾球温度と相対湿度の前記複数の許容区分範囲に属する割合についての許容区分範囲分布割合情報を作成する許容区分範囲分布割合情報作成手段と、
作成された前記許容区分範囲分布割合情報と、前記空気線図情報とを、前記同一画面上に画像表示させる許容区分範囲分布割合情報表示手段と
を更に備えている請求項６又は７記載の監視対象室内の空気状態監視システム。
【請求項９】
前記温度センサから取得した前記所定の複数個所における乾球温度と相対湿度から湿球温度、絶対湿度、露点温度、比エンタルピ、比容積を算出する空気状態値算出手段と、
前記空気線図における前記第一のポイントが前記画面上において指定されたときに、当該指定された前記第一のポイントにおける乾球温度、湿球温度、相対湿度、絶対湿度、露点温度、比エンタルピ、比容積を前記同一の画面上に、前記空気線図とともに画像表示させる空気状態値情報表示手段と
を更に備えている請求項１乃至８の何れかに記載の監視対象室内の空気状態監視システム。
【発明の詳細な説明】
【技術分野】
【０００１】
この発明は、データセンターやサーバルーム等、特定の施設内の空気状態を監視する空気状態監視システムに関する。
【背景技術】
【０００２】
データセンターやサーバルーム等において、温度、湿度等を監視するシステムとして、データセンターインフラ管理システム（DCIM（Date Center Infrastructure Management））が知られている。
【０００３】
例えば、特許文献１には、サーバルーム内の温度、湿度を、サーバルームをグラフィック化した平面図上に色分けした分布図で表し、モニタリング画面に数値表示し、トレンドグラフ画面にグラフ表示する方法が提案されている。
【先行技術文献】
【特許文献】
【０００４】
【特許文献１】特開２０１０−２５７４３９号公報
【発明の概要】
【発明が解決しようとする課題】
【０００５】
データセンターやサーバルームにおいて、サーバラックのＩＴ機器の設置や撤去が繰り返される、電源の取り回しの規則性が崩れる、温度上昇に伴いサーバに付属するファンが回り始める、ブラインドパネルの装着忘れなどにより、データセンターやサーバルームの設計時の空調スペックに適応できなくなる場合がある。そのため、データセンターやサーバルーム内の温湿度監視を運用後も継続的に行う事は非常に重要である。また、設計時の空調効率を長期にわたって維持しているデータセンターやサーバルームは稀である。
【０００６】
ここで、データセンターやサーバルーム内の空気の状態を把握する手段の一例として、湿り空気線図を活用する場合がある。湿り空気線図は、乾球温度、湿球温度、露点温度、相対湿度、絶対湿度、比エンタルピ、比容積といった値から空気の状態を読み取る線図である。これらの値のうち二つの要素の値が決まると他の五つの要素の値を求めることができる。しかし、湿り空気線図は位置情報と時系列の概念が弱く、基本的には現状の空気の状態を把握するための手段である。測定している環境を考慮する、経過観察して環境の変化を把握するといった目的には馴染まない。
【０００７】
そこで、位置情報と時系列情報とが湿り空気線図と有機的に連携した、データセンターやサーバルームの空気状態を監視するシステムの提案が望まれていた。
【０００８】
この発明は、データセンターやサーバルーム等の特定の施設の空気状態の変化やその傾向を、場所や時間経過と関連づけて把握するのに適した監視対象室内の空気状態監視システムを提供することを目的とする。
【課題を解決するための手段】
【０００９】
［１］
監視対象室内の所定の複数個所に設置されていて温度と湿度とを連続的に計測する複数のセンサから、前記所定の複数個所における連続的な温度と湿度とを取得して、前記監視対象室内の空気線図である空気線図情報を作成する空気線図情報作成手段と、
前記監視対象室内に設置されている構造物及びその設置位置を含んだ前記監視対象室内のフロアマップであって、前記空気線図における前記所定の複数個所に設置されている前記複数のセンサの設置位置を特定する第一のポイントと、前記フロアマップにおける前記所定の複数個所に設置されている前記複数のセンサの設置位置を特定する第二のポイントとが関連づけられているフロアマップであるフロアマップ情報を作成するフロアマップ情報作成手段と、
前記空気線図情報作成手段によって作成された前記空気線図情報と、前記フロアマップ情報作成手段によって作成された前記フロアマップ情報とを、同一の画面上に画像表示させる画像表示手段と、
を備えている監視対象室内の空気状態監視システム。
【発明の効果】
【００１０】
この発明によれば、データセンターやサーバルーム等の特定の施設の空気状態の変化やその傾向を、場所や時間経過と関連づけて把握するのに適した監視対象室内の空気状態監視システムを提供することができる。
【図面の簡単な説明】
【００１１】
【図１】本発明の監視対象室内の空気状態監視システムの構成の一例を表す図である。
【図２】本発明の監視対象室内の空気状態監視システムが備えるサーバ装置の構成の一例を表す図である。
【図３】（ａ）本発明の監視対象室内の空気状態監視システムで採用している湿り空気線図の一例を表す。（ｂ）データセンター内の温度の測定結果を湿り空気線図に表示した湿り空気線図情報の一例を表す図である。
【図４】（ａ）本発明の監視対象室内の空気状態監視システムで採用しているデータセンターのフロアマップの一例を表す図であって、フロアの一部を省略した図である。（ｂ）データセンター内の温度の測定結果を、フロアマップに表示したフロアマップ情報の一例を表す図である。
【図５】サーバルーム内の温度の測定結果を本発明の空気状態監視システムで採用しているトレンドグラフに表示した時系列空気状態トレンド情報の一例を表す図である。
【図６】ユーザ端末に表示される湿り空気線図情報、フロアマップ情報及び時系列空気状態トレンド情報の一例を表す図である。
【図７】湿り空気線図情報、フロアマップ情報及び時系列空気状態トレンド情報が連携している状態の一例を表す図である。
【図８】湿り空気線図情報、フロアマップ情報及び時系列空気状態トレンド情報が連携している状態の他の例を表す図である。
【図９】湿り空気線図情報、フロアマップ情報及び時系列空気状態トレンド情報が連携している状態の他の例を表す図である。
【発明を実施するための形態】
【００１２】
以下、添付図面を参照して本発明の実施形態の一例を説明する。本発明は、監視対象となる施設内の所定の複数個所に設置されたセンサと、前記センサと通信可能に接続されているサーバ装置と、前記サーバ装置と通信ネットワークを介して通信可能に接続されているユーザ端末とを備え、前記施設内の温度、湿度、等の数値を前記センサで測定し、測定した前記数値に基づいて前記施設内の空気状態を監視する監視対象室内の空気状態監視システムである。
【００１３】
本実施形態では、監視対象となる施設を、DCIMとして運営・管理するデータセンターとし、データセンターの内部の所定の複数個所に設置されたセンサと、前記センサと通信可能に接続されているサーバ装置と、前記サーバ装置と通信ネットワークを介して通信可能に接続されているユーザ端末とを備え、データセンター内の温度、湿度、等の数値を前記センサで測定し、測定した前記数値に基づいて前記データセンター内の空気状態を監視する監視対象室内の空気状態監視システムの一例を説明する。
【００１４】
［システムの構成］
本実施形態の監視対象室内の空気状態監視システム１（以下、監視対象室内の空気状態監視システム１を「空気状態監視システム１」という）は、図１に示すように、データセンター２の内部に設置された複数のサーバラック３と、空調機器４と、分電盤５と、サーバ装置６と、ユーザ端末７とを備えている。
【００１５】
本実施形態のサーバラック３は、図１に示すように、データセンター２の内部に複数設置されている。各サーバラック３には、前記DCIMを利用する複数のユーザ（事業者）が使用する一乃至複数のサーバ等のネットワーク機器やＩＴ機器が収容されている。また、各サーバラック３には、サーバラック３又はその周辺の温度、湿度を検出する温湿度センサ１０が配備されている。図１には各サーバラック３に温湿度センサ１０が一つ設置されている例を示しているが複数設置してもよい。また、温度センサ、湿度センサを個別に準備し、各サーバラック３に一乃至複数設置してサーバラック３又はその周辺の温度、湿度を検出する態様としてもよい。温湿度センサ１０は、図示していない温度・湿度測定ターミナルに接続され、所定の配線９を介してサーバ装置６と通信可能に接続されている。
【００１６】
本実施形態の空調機器４は、図１に示すように、データセンター２の内部に一つ設置されている。空調機器４には、空調機器４又はその周辺の温度、湿度を検出する温湿度センサ１０が配備されている。図１には空調機器４がデータセンター２の内部に一つ設置され、空調機器４に温湿度センサ１０が一つ配備されている例を示しているが、複数の空調機器４をデータセンター２の内部に設置し、各空調機器４に複数の温湿度センサ１０を配備してもよい。また、温度センサ、湿度センサを個別に準備し、空調機器４に一乃至複数設置して空調機器４又はその周辺の温度、湿度を検出する態様としてもよい。温湿度センサ１０は、図示していない温度・湿度測定ターミナルに接続され、所定の配線９を介してサーバ装置６と通信可能に接続されている。
【００１７】
分電盤５は、サーバラック３に電源を供給する装置である。本実施形態の分電盤５は、図１に示すように、データセンター２の内部に一つ設置されている。分電盤５には、分電盤５又はその周辺の温度、湿度を検出する温湿度センサ１０と、分電盤５の電流、電圧、電力、電力量、等を検出する電流・電圧センサ１１が配備されている。図１には分電盤５がデータセンター２の内部に一つ設置され、分電盤５に温湿度センサ１０と電流・電圧センサ１１がそれぞれ一つ配備されている例を示しているが、複数の分電盤５をデータセンター２の内部に設置し、各分電盤５に複数の温湿度センサ１０と電流・電圧センサ１１を配備してもよい。また、温度センサ、湿度センサを個別に準備し、分電盤５に一乃至複数設置して分電盤５又はその周辺の温度、湿度を検出する態様としてもよい。温湿度センサ１０は、図示していない温度・湿度測定ターミナルに接続され、所定の配線９を介してサーバ装置６と通信可能に接続されている。また、電流・電圧センサ１１は、図示していない電力測定ターミナルに接続され、所定の配線９を介してサーバ装置６と通信可能に接続されている。
【００１８】
各温湿度センサ１０は、その設置位置において所定の日時にサーバラック３又はその周辺、空調機器４又はその周辺の温度と湿度を連続して測定し、電流・電圧センサ１１は、その設置位置において所定の日時に分電盤５の電流、電圧、電力、電力量、等を連続して測定する。
【００１９】
本実施形態では、後述する空気線図情報、フロアマップ情報、時系列空気状態トレンドオ情報を作成するのに必要な数値を、温湿度センサ１０が測定する乾球温度と相対湿度している。
【００２０】
ユーザ端末７は、パーソナルコンピュータ、スマートフォン、タブレット端末、等のコンピュータであって、前記DCIMを利用する複数の前記ユーザ、前記DCIMを前記ユーザに提供するサービス提供者、前記ユーザから依頼を受けて当該ユーザが使用する前記サーバ等のネットワーク機器やＩＴ機器を管理する管理事業者、等が使用する端末である。ユーザ端末７は、インターネット通信網、無線通信規格で定められている無線通信網等の通信ネットワーク８を介してサーバ装置６と通信可能に接続されている。図示していないが、ユーザ端末７は、ＣＰＵ等により構成され各種データの処理、演算を行う演算処理部と、メモリ等の各種データを記憶する記憶部と、液晶ディスプレイ等の情報出力部と、タッチパネル等の情報入力部と、各種データの送受信を行う通信部と、を備えている。
【００２１】
サーバ装置６は、本実施形態の空気状態監視システム１によるDCIMを前記ユーザに提供する前記サービス提供者が設置するサーバ、等のコンピュータである。
【００２２】
本実施形態のサーバ装置６は、図２に示すように、情報送受信手段１２、制御手段１３、測定値取得手段１４、空気線図情報作成手段１５、フロアマップ情報作成手段１６、画像表示手段１７、時系列空気状態トレンド情報作成手段１８、時系列空気状態トレンド情報表示手段１９、許容区分範囲表示手段２０、許容区分範囲対応領域表示手段２１、空気状態値算出手段２２、空気状態値情報表示手段２３、空気線図・フロアマップ連携表示手段２４、空気線図・時系列空気状態トレンド情報連携表示手段２５、フロアマップ・時系列空気状態トレンド情報連携表示手段２６、許容区分範囲分布割合情報作成手段２７、許容区分範囲分布割合情報表示手段２８、記憶手段２９を備えている。
【００２３】
情報送受信手段１２は、ユーザ端末７、温湿度センサ１０、電流・電圧センサ１１とそれぞれ情報の送受信を行う。
【００２４】
制御手段１３は、サーバ装置６が備える各処理手段が行う情報処理をＣＰＵ、ＲＡＭ等の演算処理部で制御する。
【００２５】
測定値取得手段１４は、温湿度センサ１０が所定の日時に測定したサーバラック３又はその周辺、空調機器４又はその周辺の温度、湿度や、電流・電圧センサ１１が所定の日時に測定した分電盤５の電流、電圧、電力、電力量、といった数値を取得する。
【００２６】
空気線図情報作成手段１５は、監視対象室内の所定の複数個所に設置されていて温度と湿度を連続的に計測する複数の温湿度センサ１０から、前記所定の複数個所における連続的な温度と湿度とを取得して、前記監視対象室内の空気線図である空気線図情報を作成する。
【００２７】
本実施形態では、空気線図を図３（ａ）に示す湿り空気線図（ｈ−ｘ線図）３３とし、図３（ｂ）に示すように、複数の温湿度センサ１０による所定の日時におけるサーバラック３又はその周辺、空調機器４又はその周辺の乾球温度と相対湿度の複数の測定結果３５ａ〜３５ｊが湿り空気線図３３にプロットされた空気線図情報３０が作成される。
【００２８】
空気線図情報３０において、湿り空気線図３３に表示されている各測定結果３５ａ〜３５ｊは、サーバラック３、空調機器４の所定の複数個所に設置されている各温湿度センサ１０の設置位置を特定する第一のポイントとなっている。
【００２９】
なお、図３、図６〜図９に示している湿り空気線図３３は、いずれも「2011 ASHRAE（アメリカ暖房冷凍空調学会） Environmental Guidelines for Datacom Equipment」あるいは、「2016  TSCP  産学連携研究会  スパコン施設における省エネ化検討ＷＧ  コンピュータサーバ室設備設置及び運用のガイドライン」から引用している。
【００３０】
フロアマップ情報作成手段１６は、前記監視対象室内に設置されている構造物及びその設置位置を含んだ前記監視対象室内のフロアマップであって、前記空気線図における前記所定の複数個所に設置されている複数の温湿度センサ１０の設置位置を特定する第一のポイントと、前記フロアマップにおける前記所定の複数個所に設置されている複数の温湿度センサ１０の設置位置を特定する第二のポイントとが関連づけられているフロアマップであるフロアマップ情報を作成する。
【００３１】
本実施形態では、図４（ａ）に示すように、データセンター２内に設置されているサーバラック３の配置を３次元で表示したフロアマップ３６を採用し、複数の温湿度センサ１０による所定の日時におけるサーバラック３又はその周辺、空調機器４又はその周辺の乾球温度と相対湿度の複数の測定結果３５が、それぞれフロアマップ３６上に温度分布、湿度分布として表示されたフロアマップ情報３１が作成される。
【００３２】
この他、図４（ｂ）に示すように、複数の温湿度センサ１０による所定の日時におけるサーバラック３又はその周辺、空調機器４又はその周辺の乾球温度又は相対湿度等の複数の測定結果３５ａ〜３５ｄが、各温湿度センサ１０の設置位置に対応してフロアマップ３６にプロットされたフロアマップ情報３１を作成することもできる。
【００３３】
フロアマップ情報３１では、フロアマップ３６に表示されている各測定結果３５、３５ａ〜３５ｄは、サーバラック３、空調機器４の所定の複数個所に設置されている各温湿度センサ１０の設置位置を特定する第二のポイントとなっており、当該第二のポイントは、湿り空気線図３３におけるサーバラック３、空調機器４の所定の複数個所に設置されている各温湿度センサ１０の設置位置を特定する前記第一のポイントに関連付けられている。
【００３４】
画像表示手段１７は、空気線図情報作成手段１５によって作成された空気線図情報３０と、フロアマップ情報作成手段１６によって作成されたフロアマップ情報３１とを、ユーザ端末７に同一の画面上に画像表示させる。本実施形態では、図６に示すように、空気線図情報３０とフロアマップ情報３１とが、ユーザ端末７の同一画面上に画像表示される。
【００３５】
前記ユーザは、ユーザ端末７に表示される空気線図情報３０から、データセンター２内に設置されているサーバラック３、空調機器４の所定の日時における乾球温度、相対湿度だけでなく、湿球温度、絶対湿度、露点温度、比エンタルピ、比容積を把握することができる。
【００３６】
また、前記ユーザは、ユーザ端末７に表示されるフロアマップ情報３１から、データセンター２内に設置されているサーバラック３、空調機器４の所定の日時における乾球温度、相対湿度を把握することができる。
【００３７】
時系列空気状態トレンド情報作成手段１８は、複数の温湿度センサ１０から、前記所定の複数個所における連続的な温度と湿度とを取得して、前記監視対象室内の時系列の空気状態のトレンド情報を作成する。
【００３８】
本実施形態では、図５に示すように、横軸を日時、縦軸を温度としたトレンドグラフを採用し、複数の温湿度センサ１０による所定の日時におけるサーバラック３又はその周辺、空調機器４又はその周辺の乾球温度の複数の測定結果３５ａ〜３５ｄを一定周期（例えば５分）ごとに前記トレンドグラフに表示したサーバルーム２内の時系列空気状態トレンド情報３２が作成される。この他、横軸を日時、縦軸を湿度としたトレンドグラフを採用し、複数の温湿度センサ１０による所定の日時におけるサーバラック３又はその周辺、空調機器４又はその周辺の相対湿度の複数の測定結果を一定周期ごとに前記トレンドグラフに表示したサーバルーム２内の時系列空気状態トレンド情報３２を作成することもできる。
【００３９】
時系列空気状態トレンド情報３２では、前記トレンドグラフに表示されている各測定結果３５ａ〜３５ｄ、前記トレンドグラフの横軸に示されている時系列点４２、前記トレンドグラフの左上に表示されている各測定結果３５ａ〜３５ｄの項目点４３は、それぞれサーバラック３、空調機器４の所定の複数個所に設置されている各温湿度センサ１０の設置位置を特定する第三のポイントとなっている。前記第三のポイントは、湿り空気線図３３におけるサーバラック３、空調機器４の所定の複数個所に設置されている各温湿度センサ１０の設置位置を特定する前記第一のポイント及びフロアマップ３６におけるサーバラック３、空調機器４の所定の複数個所に設置されている各温湿度センサ１０の設置位置を特定する前記第二のポイントにそれぞれ関連付けられている。
【００４０】
また、時系列空気状態トレンド情報３２を動画として作成することもできる。この場合、図５に示すような動画の再生等の操作が可能な動画操作部３７がユーザ端末７に表示される。
【００４１】
時系列空気状態トレンド情報表示手段１９は、時系列空気状態トレンド情報作成手段１８によって作成された時系列空気状態トレンド情報３２と、空気線図情報３０と、フロアマップ情報３１とをユーザ端末７に同一の画面上に表示させる。本実施形態では、図６に示すように、空気線図情報３０と、フロアマップ情報３１と、時系列空気状態トレンド情報３２とが、ユーザ端末７の同一画面上に画像表示される。
【００４２】
前記ユーザは、ユーザ端末７に表示される時系列空気状態トレンド情報３２から、データセンター２内に設置されているサーバラック３、空調機器４の所定の日時における乾球温度、相対湿度の経時的な変化を把握することができる。例えば、図５に示す時系列空気状態トレンド情報３２の場合、前記ユーザは、あるサーバラック３の乾球温度又は相対湿度がどのように変化したのかを前記トレンドグラフ上で把握することができる。また、ユーザ端末７に表示される動画操作部３７を操作して動画を再生することで、指定したサーバラック３の乾球温度又は相対湿度の変化を時系列に沿って把握することができる。
【００４３】
許容区分範囲表示手段２０は、前記監視対象室内の空気状態把握用に基準となる温湿度の許容範囲が定められている複数の許容区分範囲を前記空気線図に重ねて前記画面上に画像表示させる。
【００４４】
本実施形態では、表１に示すデータセンター２内における温度・湿度の許容範囲が定められた推奨温湿度条件範囲Ａ１〜Ａ４が、図３（ｂ）に示すように、湿り空気線図３３に色分けして表示されている。前記ユーザは、ユーザ端末７に表示される図３（ｂ）に示す空気線図情報３０から、どのサーバラック３の温度・湿度がどの推奨温湿度条件範囲内なのかを把握することができる。
【表１】
2020190369.tif 000003
【００４５】
許容区分範囲対応領域表示手段２１は、フロアマップ３６において、前記空気線図に重ねて画像表示された前記複数の許容区分範囲の各区分に対応する領域をそれぞれ視認可能にフロアマップ３６に重ねて前記画面上に画像表示させる。
【００４６】
本実施形態では、図６に示すように、湿り空気線図３３における所定の複数個所に設置されている各温湿度センサ１０の設置位置を特定する第一のポイント３８ａ〜３８ｊに関連付けられているフロアマップ３６に表示されている第二のポイント３９ａ〜３９ｊが前記推奨温湿度条件範囲別に色分けされて表示されている。
【００４７】
前記ユーザは、ユーザ端末７に表示される図６に示すフロアマップ情報３１から、どのサーバラック３の温度又は湿度がどの推奨温湿度条件範囲内なのかを把握することができる。例えば、図６では、サーバラック３ａ〜３ｈのうち、第二のポイント３９ａを示す箇所が推奨温湿度条件範囲Ａ４内を示す第一のポイント３８ａであること、第二のポイント３９ｊを示す箇所が推奨温度条件範囲Ａ３内を示す第一のポイント３８ｊであること、第二のポイント３９ｂ、３９ｃ、３９ｉを示す箇所が推奨温度条件範囲Ａ２内を示す第一のポイント３８ｂ、３８ｃ、３８ｉであること、第二のポイント３９ｇ、３９ｈを示す箇所が推奨温度条件範囲Ａ１内を示す第一のポイント３８ｇ、３８ｈであること、第二のポイント３９ｄ、３９ｅ、３９ｆを示す箇所が推奨範囲内を示す第一のポイント３８ｄ、３８ｅ、３８ｆであることを把握することができる。
【００４８】
空気状態値算出手段２２は、温湿度センサ１０から取得した前記所定の複数個所における乾球温度と相対湿度から湿球温度、絶対湿度、露点温度、比エンタルピ、比容積を算出する。本実施形態では、図３（ｂ）において、湿り空気線図３３に示される各温湿度センサ１０が測定した乾球温度及び相対湿度に基づいて、湿球温度、絶対湿度、露点温度、比エンタルピ、比容積を算出する。
【００４９】
空気状態値情報表示手段２３は、前記空気線図における第一のポイント３８が前記画面上において指定されたときに、当該指定された第一のポイント３８における乾球温度、湿球温度、相対湿度、絶対湿度、露点、比エンタルピ、比容積を前記同一の画面上に、前記空気線図とともに画像表示させる。本実施形態では、図示していないが、例えば図６においてユーザ端末７によって湿り空気線図３３における第一のポイント３８ａが指定されたときに、第一のポイント３８ａにおける温湿度センサ１０が測定した乾球温度と相対湿度、空気状態値算出手段２２が算出した湿球温度、絶対湿度、露点温度、比エンタルピ、比容積が一覧表等の形式で湿り空気線図３３に並列されて画像表示される。
【００５０】
空気線図・フロアマップ連携表示手段２４は、前記空気線図における第一のポイント３８が前記画面上において指定されたときに、当該指定された第一のポイント３８に対応しているフロアマップ３６における第二のポイント３９を前記画面上で認識可能に表示する、あるいは、フロアマップ３６における第二のポイント３９が前記画面上において指定されたときに、当該指定された第二のポイント３９に対応している前記空気線図における第一のポイント３８を前記画面上で認識可能に表示する。
【００５１】
例えば、図７に示すように、湿り空気線図３３における所定の複数個所に設置されている各温湿度センサ１０の設置位置を特定する第一のポイント３８ａ〜３８ｊ（測定結果３５ａ〜３５ｊ）のうちユーザ端末７が第一のポイント３８ａを指定した場合、第一のポイント３８ａに関連付けられているフロアマップ３６に表示されている第二のポイント３９ａに目印４１が付される。この目印４１は、指定された第一のポイント３８における温湿度センサ１０による測定結果３５が、フロアマップ３６に表示されている複数の測定結果３５の中のどの温湿度センサ１０による測定結果３５なのかを強調するためのものである。そのため、図７に示す三角形の図形だけでなく、色の変更、指定した場所を吹き出し表示する、等種々のものを目印４１として採用することができる。
【００５２】
前記ユーザは、湿り空気線図３３において第一のポイント３８ａを示す箇所が、ロアマップ３６に表示されているサーバラック３ｈの奥側である第二のポイント３９ａに対応していることを目印４１で把握することができる。
【００５３】
また、例えば、図８に示すように、フロアマップ３６における所定の複数個所に設置されている各温湿度センサ１０の設置位置を特定する第二のポイント３９ａ〜３９ｊ（測定結果３５ａ〜３５ｊ）のうちユーザ端末７が第二のポイント３９ａを指定した場合、第二のポイント３９ａに関連付けられている湿り空気線図３３に表示されている第一のポイント３８ａに目印４１が付される。この目印４１は、上記説明と同様に、指定された第二のポイント３９における温湿度センサ１０による測定結果３５が、湿り空気線図３３に表示されている複数の測定結果３５の中のどの温湿度センサ１０による測定結果３５なのかを強調するためのものである。
【００５４】
前記ユーザは、フロアマップ３６において第二のポイント３９ａを示す箇所が、湿り空気線図３３に表示されている推奨温湿度条件範囲Ａ４内である第一のポイント３８ａに対応していることを目印４１で把握することができる。
【００５５】
空気線図・時系列空気状態トレンド情報連携表示手段２５は、時系列空気状態トレンド情報３２における前記所定の複数個所に設置されている複数の温湿度センサ１０の設置位置を特定する第三のポイント４０であって、第一のポイント３８に関連付けられている第三のポイント４０が前記画面上において指定されたときに、当該指定された第三のポイント４０に対応している前記空気線図における第一のポイント３８を前記画面上で認識可能に表示する、あるいは、前記空気線図における第一のポイント３８が前記画面上において指定されたときに、当該指定された第一のポイント３８に対応している時系列空気状態トレンド情報３２における第三のポイント４０を前記画面上で認識可能に表示する。
【００５６】
例えば、図９に示すように、トレンドグラフにおける測定結果３５ａ〜３５ｄ、時系列点４２、項目点４３のうち、所定の複数個所に設置されている各温湿度センサ１０の設置位置を特定する第三のポイント４０ａ、４０ｂ又は４０ｃの何れかをユーザ端末７が指定した場合、指定した第三のポイントに関連付けられている湿り空気線図３３に表示されている第一のポイント３８ａに目印４１が付される。この目印４１は、上記説明と同様に、指定された第三のポイント４０における温湿度センサ１０による測定結果３５が、湿り空気線図３３に表示されている複数の測定結果３５の中のどの温湿度センサ１０による測定結果３５なのかを強調するためのものである。
【００５７】
前記ユーザは、前記トレンドグラフにおいて第三のポイント４０ａ、４０ｂ、４０ｃを示す箇所が、湿り空気線図３３に表示されている推奨温湿度条件範囲Ａ４内である第一のポイント３８ａに対応していることを目印４１で把握することができる。また、ユーザ端末７に表示される動画操作部３７を操作して動画を再生することで、指定した第三のポイント４０の測定結果３５の箇所の温度変化又は湿度変化を前記トレンドグラフ及び湿り空気線図３３において時系列に沿って把握することができる。
【００５８】
また、例えば、図７に示すように、湿り空気線図３３における所定の複数個所に設置されている各温湿度センサ１０の設置位置を特定する第一のポイント３８ａ〜３８ｊのうちユーザ端末７が第一のポイント３８ａを指定した場合、第一のポイント３８ａに関連付けられているトレンドグラフに表示されている第三のポイント４０ａに目印４１が付される。この目印４１は、上記説明と同様に、指定された第一のポイント３８における温湿度センサ１０による測定結果３５が、トレンドグラフに表示されている複数の測定結果３５の中のどの温湿度センサ１０による測定結果３５なのかを強調するためのものである。
【００５９】
前記ユーザは、湿り空気線図３３において第一のポイント３８ａを示す箇所が、トレンドグラフにおいて時系列で表されている第三のポイント４０ａの測定結果３５ａに対応していることを目印４１で把握することができる。また、ユーザ端末７に表示される動画操作部３７を操作して動画を再生することで、指定した第一のポイント３８の測定結果３５の箇所の温度変化又は湿度変化を前記トレンドグラフ及び湿り空気線図３３において時系列に沿って把握することができる。
【００６０】
フロアマップ・時系列空気状態トレンド情報連携表示手段２６は、時系列空気状態トレンド情報３２における前記所定の複数個所に設置されている複数の温湿度センサ１０の設置位置を特定する第三のポイント４０であって、第二のポイント３９に関連付けられている第三のポイント４０が前記画面上において指定されたときに、当該指定された第三のポイント４０に対応しているフロアマップ３６における第二のポイント３９を前記画面上で認識可能に表示する、あるいは、フロアマップ３６における第二のポイント３９が前記画面上において指定されたときに、当該指定された第二のポイント３９に対応している時系列空気状態トレンド情報３２における第三のポイント４０を前記画面上で認識可能に表示する。
【００６１】
例えば、図９に示すように、トレンドグラフにおける測定結果３５ａ〜３５ｄ、時系列点４２、項目点４３のうち、所定の複数個所に設置されている各温湿度センサ１０の設置位置を特定する第三のポイント４０ａ、４０ｂ又は４０ｃの何れかをユーザ端末７が指定した場合、指定した第三のポイント４０に関連付けられているフロアマップ３６に表示されている第二のポイント３９ａに目印４１が付される。この目印４１は、上記説明と同様に、指定された第三のポイント４０における温湿度センサ１０による測定結果３５が、フロアマップ３６に表示されている複数の測定結果３５の中のどの温湿度センサ１０による測定結果３５なのかを強調するためのものである。
【００６２】
前記ユーザは、前記トレンドグラフにおいて第三のポイント４０ａ、４０ｂ、４０ｃを示す箇所が、フロアマップ３６に表示されているサーバラック３ｈの奥側である第二のポイント３９ａに対応していることを目印４１で把握することができる。また、ユーザ端末７に表示される動画操作部３７を操作して動画を再生することで、サーバラック３ｈの測定結果３５ａの箇所の温度変化又は湿度変化を前記トレンドグラフ及びフロアマップ３６において時系列に沿って把握することができる。
【００６３】
また、例えば、図７に示すように、フロアマップ３６における所定の複数個所に設置されている各温湿度センサ１０の設置位置を特定する第二のポイント３９ａ〜３９ｊのうちユーザ端末７が第二のポイント３９ａを指定した場合、第二のポイント３９ａに関連付けられているトレンドグラフに表示されている第三のポイント４０ａに目印４１が付される。この目印４１は、上記説明と同様に、指定された第二のポイント３９における温湿度センサ１０による測定結果３５が、トレンドグラフに表示されている複数の測定結果３５の中のどの温湿度センサ１０による測定結果３５なのかを強調するためのものである。
【００６４】
前記ユーザは、フロアマップ３６において第二のポイント３９ａを示す箇所が、トレンドグラフにおいて時系列で表されている第三のポイント４０ａの測定結果３５ａに対応していることを目印４１で把握することができる。また、ユーザ端末７に表示される動画操作部３７を操作して動画を再生することで、指定したサーバラック３ｈの測定結果３５ａの箇所の温度変化又は湿度変化を前記トレンドグラフ及びフロアマップ３６において時系列に沿って把握することができる。
【００６５】
許容区分範囲分布割合情報作成手段２７は、温湿度センサ１０から取得した前記所定の複数個所における乾球温度と相対湿度についての前記複数の許容区分範囲に属する割合についての許容区分範囲分布割合情報を作成する。
【００６６】
本実施形態では、図示していないが、各温湿度センサ１０が測定した乾球温度と相対湿度が前記推奨温湿度条件範囲Ａ１〜Ａ４にどの程度の割合で属しているかを円グラフ等の所定の形式で作成する。
【００６７】
許容区分範囲分布割合情報表示手段２８は、作成された前記許容区分範囲分布割合情報と、空気線図情報３０とを、前記同一画面上に画像表示させる。
【００６８】
記憶手段２９には、上述した空気線図情報３０、フロアマップ情報３１、時系列空気状態トレンド情報３２が記憶されている。
【００６９】
このように、本実施形態の空気状態監視システム１は、データセンター２のフロアマップとトレンドグラフとが、湿り空気線図と連携したシステムとなっている。そのため、本実施形態の空気状態監視システム１を利用する前記ユーザは、これまで認識できなかったデータセンター内の温度等の空気状態の変化やその傾向を場所や時間経過と関連付けて把握することができる。
【００７０】
以上、添付図面を参照して本発明の好ましい実施形態を説明したが、本発明はこれらの実施形態に限定されるものではなく、特許請求の範囲の記載から把握される技術的範囲において種々に変更可能である。
【符号の説明】
【００７１】
１  空気状態監視システム
２  データセンター
３（３ａ、・・・、３ｈ）  サーバラック
４  空調機器
５  分電盤
６  サーバ装置
７  ユーザ端末
８  通信ネットワーク
９  配線
１０  温湿度センサ
１１  電流・電圧センサ
１２  情報送受信手段
１３  制御手段
１４  測定値取得手段
１５  空気線図情報作成手段
１６  フロアマップ情報作成手段
１７  画像表示手段
１８  時系列空気状態トレンド情報作成手段
１９  時系列空気状態トレンド情報表示手段
２０  許容区分範囲表示手段
２１  許容区分範囲対応領域表示手段
２２  空気状態値算出手段
２３  空気状態値情報表示手段
２４  空気線図・フロアマップ連携表示手段
２５  空気線図・時系列空気状態トレンド情報連携表示手段
２６  フロアマップ・時系列空気状態トレンド情報連携表示手段
２７  許容区分範囲分布割合情報作成手段
２８  許容区分範囲分布割合情報表示手段
２９  記憶手段
３０  空気線図情報
３１  フロアマップ情報
３２  時系列空気状態トレンド情報
３３  湿り空気線図
３４  温度・湿度・露点温度許容範囲
３５  測定結果
３６  フロアマップ
３７  動画操作部
３８（３８ａ、・・・３８ｊ）  第一のポイント
３９（３９ａ、・・・３９ｊ）  第二のポイント
４０（４０ａ、４０ｂ、４０ｃ）  第三のポイント
４１  目印
４２  時系列点
４３  項目点
【図１】
2020190369.tif 000004
【図２】
2020190369.tif 000005
【図３】
2020190369.tif 000006
【図４】
2020190369.tif 000007
【図５】
2020190369.tif 000008
【図６】
2020190369.tif 000009
【図７】
2020190369.tif 000010
【図８】
2020190369.tif 000011
【図９】
2020190369.tif 000012